【事件の表示】
　特願２００４−２４７９８３「カロテン濃縮物、ビタミンＥ濃縮物、スクワレン濃縮物及び植物ステロール濃縮物の超臨界流体抽出法」拒絶査定不服審判事件〔平成１７年　４月　７日出願公開、特開２００５−　８７９９８〕について、次のとおり審決する。
【結　論】
　本件審判の請求は、成り立たない。
【理　由】
【１】手続の経緯
　本願は、平成１６年８月２７日（パリ条約による優先権主張２００３年８月２７日、マレーシア国）の出願であって、平成２３年１２月１２日付けで拒絶査定がなされ、これに対し、平成２４年４月２０日に拒絶査定に対する審判請求がなされるとともに、同日付けで手続補正がなされたものである。
　その後、平成２４年９月５日付けで審判請求人に前置報告書の内容を示し意見を求めるための審尋を行ったところ、平成２５年３月８日付けで回答書が提出され、また、同年４月２５日付けで拒絶理由が通知されたところ、これに対し、同年８月２８日付けで意見書及び手続補正書が提出されたものである。
　
【２】本願発明
　本願の請求項１〜１２に係る発明は、平成２５年８月２８日付けの手続補正で補正された特許請求の範囲の請求項１〜１２に記載された事項により特定されるとおりのものと認められるところ、その請求項１には、次のとおり記載されている。
「【請求項１】
天然の油又は脂肪から、カロテン濃縮物、ビタミンＥ濃縮物、スクワレン濃縮物及び植物ステロール濃縮物を、抽出するための方法であって、前記方法は、
（Ｉ）カロテン、ビタミンＥ、スクワレン及び植物ステロールを含む濃縮混合物を生成する生成工程であって、
（Ｉａ）前記天然の油又は脂肪のアルコールを用いたエステル化及びアルコールを用いたエステル交換を行い、形成されたエステルを真空蒸留により分離して、カロテン、ビタミンＥ、スクワレン及び植物ステロールの濃縮された混合物を得る工程、又は
（Ｉｂ）前記天然の油又は脂肪を鹸化して、鹸化された物質を引き続いて除去して、カロテン、ビタミンＥ、スクワレン及び植物ステロールの濃縮された混合物を生成する工程、
のいずれかを含む、前記生成工程と、
（ＩＩ）工程（Ｉ）にて得られた混合物から、超臨界流体を用いてカロテン、ビタミンＥ、スクワレン及び植物ステロールを抽出して、カロテン濃縮物、ビタミンＥ濃縮物、スクワレン濃縮物及び植物ステロール濃縮物のうちの少なくとも一つを得る抽出工程と、
を含み、
前記工程（ＩＩ）は２段階の抽出工程：
（ＩＩ１）工程（Ｉａ）又は工程（Ｉｂ）からなる前記工程（Ｉ）から得られた混合物から、超臨界流体を用いて２８℃乃至１２０℃の温度で、かつ６ＭＰａ（６０バール）乃至６０ＭＰａ（６００バール）の圧力にてカロテン、ビタミンＥ、スクワレン及び植物ステロールの全て又は幾らかの第一の超臨界流体抽出を行い、カロテン、ビタミンＥ、スクワレン及び植物ステロールのうちの少なくとも一つを含む濃縮物を生成する工程と、
（ＩＩ２）工程（ＩＩ１）にて得られた分画から、超臨界流体を用いて２８℃乃至１２０℃の温度で、かつ６ＭＰａ（６０バール）乃至６０ＭＰａ（６００バール）の圧力にてカロテン、ビタミンＥ、スクワレン及び植物ステロールの全て又は幾らかの第二の超臨界流体抽出を行い、更に、前記カロテン、前記ビタミンＥ、前記スクワレン及び前記植物ステロールを不純物から分離することと、前記カロテン、前記ビタミンＥ、前記スクワレン及び前記植物ステロールを互いに分離することとのうちの少なくとも一方を行う工程と、
からなる方法。」（以下、請求項１に係る発明を、「本願発明」という。）
　
【３】引用刊行物
　本願出願前に頒布された刊行物であり、当審における拒絶理由に引用された米国特許第５１５７１３２号明細書（以下、「刊行物１」という。）には、以下のことが記載されている。
　
（ア）「Carotenoids and tocotrienols found in oils of plant origin have many applications. … Historically, separation of carotenoids and tocotrienols has been incomplete. For example, carotenoids have been extracted from crude palm oil but tocotrienols typically are lost during the extraction process. Likewise, carotenoids are generally lost during extraction of tocotrienols from oils. Also, know methods for recovering carotenoids and tocotrienols typically do not provide for individual separation of classes of carotenoids and tocotrienols. Therefore, a need exists for a new method and apparatus for extracting carotenoids and tocotrienols from oil which overcome or minimize the above-listed problems.」（第１欄第５〜４１行）
「植物由来の油に発見されたカロテノイドとトコトリエノールは、多くの適用例がある。…歴史的には、カロテノイドとトコトリエノールの分離が不完全であった。例えば、カロテノイドは、粗パーム油から抽出されたが、トコトリエノールは、典型的には、抽出プロセス中に失われる。同様に、カロテノイドは一般オイルからトコトリエノールの抽出中に失われる。また、通常は、カロテノイドとトコトリエノールを回復するための方法が、カロテノイドとトコトリエノールのクラスの個々の分離を提供しないことを知っている。したがって、上記に列挙した問題を克服しまたは最小限に抑える、油からのカロテノイドおよびトコトリエノールを抽出するための新規な方法及び装置に対する必要性が存在する。」（当審訳）
　
（イ）「The present invention relates to a process and apparatus for extracting carotenoids and tocotrienols from oils. A process for extracting carotenoids and tocotrienols from oils includes contacting the oil with a lower alkyl alcohol in the presence of a base under conditions sufficient to convert glycerides in the oil to fatty acid alkyl esters and glycerol and to form an ester-rich layer and a glycerol-rich layer. The ester-rich layer is then separated from the glycerol-rich layer. The ester-rich layer is contacted with a lower alkyl alcohol and water under conditions sufficient to cause solvolytic micellization of the ester-rich layer without destroying the carotenoids and tocotrienols, thereby forming a carotenoid-rich layer. The ester-rich layer is separated from the carotenoid-rich layer. The lower alkyl alcohol is separated from the ester-rich layer under conditions sufficient to prevent destroying the tocotrienols in the ester-rich layer. Fatty acid alkyl esters are separated from the ester-rich layer under conditions sufficient to prevent destroying the tocotrienols, thereby forming a tocotrienol-rich layer. Individual tocotrienols in the tocotrienol-rich layer are then adsorptively separated and concentrated.」（第１欄第４３行〜第２欄第２行）
「本発明は、油からカロテノイドおよびトコトリエノールを抽出するための方法および装置に関するものである。油からカロテノイドおよびトコトリエノールを抽出するための方法は、油に低級アルキルアルコールを塩基の存在下で接触させて、油中のグリセライドを脂肪酸アルキルエステルとグリセロールに転化し、エステルリッチ層とグリセロールリッチ層を形成させる。そして、グリセロールリッチ層からエステルリッチ層を分離する。エステルリッチ層に低級アルキルアルコールと水を接触させて、カロテノイドとトコトリエノールを破壊することなしにエステルリッチ層を溶媒和分解ミセル化し、これによりカロテノイドリッチ層を形成する。エステルリッチ層をカロテノイドリッチ層から分離する。エステルリッチ層から低級アルキルアルコ−ルをエステルリッチ層中のトコトリエノールの破壊を阻止するために充分な条件下で分離する。エステルリッチ層をトコトリエノールの破壊を阻止するために充分な条件下でエステルリッチ層から脂肪酸アルキルエステルを分離し、これによりトコトリエノールリッチ層を生成させる。そして、トコトリエノールリッチ層中の個々のトコトリエノールは吸着的に分離し濃縮される。」(当審訳)
　
（ウ）「This invention has many advantages. In general, an integrated process is provided which separates both carotenoids and tocotrienols from oils. Further, individual classes of tocotrienols and carotenoids can be separated and recovered. Other components of tocotrienol- and carotenoid-containing oils, such as glycerol and fatty acid alkyl esters forming during the integrated process can be selectively separated and recovered.」（第２欄第３２〜３９行）
「本発明は、多くの利点を有する。一般的には、統合されたプロセスでは、油からカロテノイドおよびトコトリエノールの両方を分離するものを含んでいる。さらに、トコトリエノールおよびカロテノイドの個々のクラスを分離して回収することができる。統合プロセス中に形成されたグリセロールおよび脂肪酸アルキルエステルなどのトコトリエノールおよびカロテノイド含有油の他の成分は選択的に分離・回収することができる。」（当審訳）
　
　上記（ア）〜（ウ）の記載を含む刊行物１全体の記載及び当業者の技術常識によれば、刊行物１には以下の発明（以下、「刊行物１記載の発明」という。）が記載されているものと認められる。
「油から、カロテノイドおよびトコトリエノールの濃縮物を抽出するための方法であって、前記方法は、
（Ｉ）カロテノイド、トコトリエノールの濃縮された混合物を生成する生成工程であって、前記油のアルコールを用いたエステル化を行い、形成されたエステルを分離して、カロテノイド、トコトリエノールの濃縮された混合物を得る工程、
（ＩＩ）工程（Ｉ）にて得られた混合物から、カロテノイド濃縮物、トコトリエノール濃縮物を得る抽出工程と、
からなる方法。」
　
　また、本願出願前に頒布された刊行物であり、当審における拒絶理由に引用された特開２００１−２６１６７１号公報（以下、「刊行物２」という。）には、以下のことが記載されている。
　
（エ）「ビタミンＥを含んでなる化合物からのビタミンＥ異性体（α−トコフェロール、β−トコフェロール、γ−トコフェロール、δ−トコフェロール、α−トコトリエノール、β−トコトリエノール、γ−トコトリエノール及びδ−トコトリエノール）のクロマトグラフ単離の方法であって、
（ａ）該ビタミンＥ異性体の供給源を形成する物質を選択的吸着剤上に導入して該ビタミンＥ異性体の吸着を行い、続いて、
（ｂ）該吸着されたビタミンＥ異性体の個々の脱着を行う工程を含み、その際、該ビタミンＥ異性体の吸着及び／又は脱着が超臨界流体環境下で行われる方法。」（【請求項１】）
　
（オ）「ビタミンＥ異性体の吸着及び／又は脱着が、有効量のＣＯ２を溶媒として含んでなる超臨界流体環境下で行われる、請求項１記載のクロマトグラフ単離の方法。」（【請求項３】）
　
（カ）「超臨界流体条件が、３０〜１００℃の操作温度及び５０〜６００ｋｇ／ｃｍ２の操作圧力を含んでなる、請求項３〜５のいずれか１項に記載のクロマトグラフ単離の方法。」（【請求項６】）
　
（キ）「超臨界流体環境下での吸着及び脱着段階の前に追加工程を取り入れた請求項１に記載のビタミンＥ異性体のクロマトグラフ単離の方法であって、該追加工程が
（ｉ）ビタミンＥを含んでなる化合物のフリー脂肪酸成分を１種又はそれより多い一価アルコール類でエステルにエステル化し；
（ｉｉ）該ビタミンＥを含んでなる化合物のグリセリド成分を１種又はそれより多い一価アルコール類でエステルにエステル交換し；そして
（ｉｉｉ）該形成されたエステルを取り出すことによって、ビタミンＥ濃縮物を得る工程を含んでなり、その際、請求項１に従って選択的吸着剤上に導入されるビタミンＥ異性体の供給源を形成する物質が、上記の工程（ｉｉｉ）からのビタミンＥ濃縮物を含んでなる方法。」（【請求項７】）
　
（ク）「…（ｉｉｉ）工程（ｉ）〜（ｉｉ）において形成されたエステル類を減圧蒸留又は分子蒸留により取り出すことによってビタミンＥ濃縮物を得る、この際、それらエステル類は、減圧蒸留又は分子蒸留によって取り出してもよいことにより誘導されても、植物油からビタミンＥ濃縮物を抽出するのに有効な超臨界抽出法及び／又はあらゆるクロマトグラフ法により誘導されてもよい。
　また、本発明は、植物油のけん化を通じて得られる非けん化物に適用することができる。…
　溶媒：  本方法に使用される溶媒には；
ｉ）超臨界流体、例えば、ＳＣ−ＣＯ２（１００％）。他の適用可能な溶媒には、プロパン、プロペン、エチレン及び／又はそれらに類したものが含まれ；又は
ｉｉ）共留剤（アルコール及び／又はそれに類した有機溶媒のような溶媒）と組み合わせた超臨界流体（例えば、ＳＣ−ＣＯ２）が含まれる。」（段落【００１３】，【００１４】）
　
（ケ）「回収されるビタミンＥ異性体は、医薬組成物、食品及び健康食品配合物、栄養補助食品及び化粧品配合物に有用である。それらは、ファインケミカル及び標準基準物質としても使用することができる。
実施例１：  パームビタミンＥ異性体の単離
粗パーム油（６００〜１０００ｐｐｍのビタミンＥを含有する）をメチルエステル類にエステル交換した。それらメチルエステル類を、９０〜１８０℃の温度で分子蒸留により取り出してけん化し、ビタミンＥ濃縮物を得た（＞５０％）。
　ビタミンＥ濃縮物（０．０１ｇ；濃度：〜５０％）を、ジクロロメタン又はエタノールのような有機溶媒に溶解し、カラム（シリカゲル、内径２０ｍｍ及び長さ２５０ｍｍ）に充填した。そのビタミンＥ濃縮混合物を、超臨界二酸化炭素（５ｍｌ、９５．２％）と共留剤であるエタノール（０．２５ｍｌ、４．８％）との混合物を用いて、５．２５ｍｌ／分の流速で溶離させた。その超臨界流体クロマトグラフィー系の圧力を、処理を通じて正確にＰ＝１８０ｋｇ／ｃｍ２で一定に保持し、温度を７０℃で一定に保持した。４種のビタミンＥ異性体を異なる時間間隔で集めた。それらを表１に示す。ビタミンＥ異性体の存在及び濃度はＨＰＬＣにより確認した。」（段落【００１６】，【００１７】）
　
　また、本願出願前に頒布された刊行物であり、当審における拒絶理由に引用された特開昭６０−１４９５８２号公報（以下、「刊行物３」という。）には、図面とともに、以下のことが記載されている。
　
（コ）「トコフエロール含有物質を超臨界溶媒と接触させ、トコフエロール含有率を高めることを特徴とするトコフエロールの精製方法。」（特許請求の範囲第１項）
　
（サ）「本発明は、トコフエロールの精製方法に関する。更に詳しくは、天然物などのトコフエロール含有物質からトコフエロールを分離させるための精製方法に関する。」（第１頁左欄下から第７〜４行）
　
（シ）「抽出器１は、温度調節機構を備えた塔式接触器であり、その内部には接触を良好ならしめる充填材２が充填されている。被抽出物質は、液状の形で、ライン３から抽出塔の上段に送入され、塔内を流下しながら、塔底から上昇してくる超臨界溶媒と向流的に接触する。超臨界溶媒は、ボンベ４から送り込まれるが、途中液化装置５で液化され、次いで定量ポンプ６で昇圧されてから、ライン７により抽出塔の到底に送入される。被抽出物質からトコフエロールを抽出して含有する超臨界溶媒流は、塔頂からライン８を経て取り出され、必要に応じて加熱または冷却することにより一定の操作条件に維持されたフラッシュ蒸発器９に送入されて、そこで含有されていたトコフエロールを放出する。放出されたトコフエロールは、蒸発器の底部に溜まる。一方、超臨界溶媒は、気化して蒸発器の頂部から、ライン１０を経て取り出される。」（第２頁右上欄第９行〜左下欄第５行）
　
（ス）「実施例１
　混合トコフエロール３０．０％（重量、以下同じ）、オレイン酸メチル４０．３％およびグリセリド２９．７％よりなるトコフエロール含有混合物を、図示された態様に従って処理した。
　即ち、上記トコフエロール含有混合物６８．５ｇを抽出塔（１）内に送入し、塔内を４０℃、１００〜２６０ｋｇ／ｃｍ２の範囲に保ち、徐々に昇圧しながら二酸化炭素で超臨界抽出を行ない、得られた抽出液をフラッシュ蒸留器（９）中に導入し、０℃、常圧下でフラッシュさせて、下記第１表に示される７個の分画を採取した。」（第３頁右上欄第９〜２０行）
　
　また、本願出願前に頒布された刊行物であり、当審における拒絶理由に引用された特開平６−１３６３８３号公報（以下、「刊行物４」という。）には、図面とともに、以下のことが記載されている。
　
（セ）「植物油脂を、超臨界状態または高圧状態の流体と多段の抽出塔において接触させることにより、高度に精製することを特徴とする油脂の精製方法。」（【請求項１】）
　
（ソ）「本発明は、植物種子の圧搾油等から高度に精製された精製油を効率良く得る方法に関し、詳細には、例えばえごま油等の植物油脂から遊離の脂肪酸、色素成分、臭気成分、エステル類、りん脂質等の不純物を効率良く抽出分離して精製された油脂を得る方法に関するものである。」（段落【０００１】）
　
（タ）「えごま、大豆、菜種、アマニ、とうもろこし等の植物油脂は、食用油をはじめとする植物油脂製品の原料や医薬品の原料として利用されている。例えばえごま油はα−リノレン酸で構成されるトリグリセリドを主成分とするものであり、これを加水分解することによって得られるα−リノレン酸は生体の細胞膜構造や機能調節に有効であるとの報告（油化学，４０（１０），９４２−９５０，１９９１）もあり、薬理作用が注目されている。またえごま精製油は食用油として使用されている。」（段落【０００２】）
　
（チ）「実施例
　図１示した様な装置を使用し、えごま油の精製を行なった。即ち、太田油脂社製のえごま油をヒーター１によって加温しつつ高圧ポンプ２ａによって多段抽出精製塔３（充填物：グッドロールカラムパッキン）の上部へ送給すると共に、塔底部から供給される高圧ＣＯ２と対向流で接触させ、多段抽出による精製を行なった。但し、操作条件は温度：３１０〜３３３Ｋ、圧力：１０〜２０ＭＰａとした。そして該多段抽出時の溶剤比Ｓ／Ｆ比（二酸化炭素の質量流量を原料供給質量流量で除した値）を種々変えたときの精製油の品質を評価した。」（段落【００２３】）
　
　また、本願出願前に頒布された刊行物であり、当審における拒絶理由に引用された特開平７−３０４９７７号公報（以下、「刊行物５」という。）には、図面とともに、以下のことが記載されている。
　
（ツ）「本発明は、カロテノイドを含有する動植物もしくは微生物から搾油により得られるカロテノイド含有物、またはアセトン、酢酸エチル、ジクロロエタン等の有機溶剤もしくは食用油を介し、抽出して得られるカロテノイド含有物から、原料由来の特有の臭気と夾雑物を除去し、食品、医薬品、医薬部外品、香粧品の業界で着色等の目的で広く用いることができる、臭気を伴わない高品質のカロテノイド色素の製造法に関するものである。」（段落【０００１】）
　
（テ）「本発明は、カロテノイドを含有する油脂またはオレオレジンを低級モノアルコールを加えてアルコーリシスして、カロテノイド含有脂肪酸低級アルキルエステルとし、次いで極性の大きな物質を除去したのち、超臨界二酸化炭素流体を用いて臭気成分、脂肪酸アルキルエステルおよび夾雑物を除去して高濃度のカロテノイドを得ることからなるカロテノイド色素の製造法を提供するものである。」（段落【０００７】）
　
（ト）「次いで、カロテノイド含有油層部を超臨界二酸化炭素流体と接触させて抽出することにより、臭気成分、脂肪酸アルキルエステル、その他夾雑物を抽出除去する。本発明でいう超臨界二酸化炭素流体とは二酸化炭素の臨界点すなわち臨界温度（３１．１℃）、臨界圧（７．２８ＭＰａ）以上の領域および臨界点附近の亜臨界領域を意味し、例えば圧力７〜４０ＭＰａ、好ましくは１５〜２５ＭＰａ、温度２９〜７０℃、好ましくは３２〜５０℃の中から選ばれる。」（段落【００１１】）
　
【４】対比・判断
　本願発明と、刊行物１記載の発明とを対比すると、刊行物１記載の発明の「油」は植物由来の油を用いていることは明らかであることから、本願発明の「天然の油」に相当し、また刊行物１記載の発明の「カロテノイド濃縮物」及び「トコトリエノール濃縮物」は、本願発明の「カロテン濃縮物」及び「ビタミンＥ濃縮物」に相当する。
　してみると、両者は、
「天然の油から、カロテン濃縮物、ビタミンＥ濃縮物を抽出するための方法であって、前記方法は、
（Ｉ）カロテン、ビタミンＥを含む濃縮混合物を生成する生成工程であって、前記天然油のアルコールを用いたエステル化を行い、形成されたエステルを分離して、カロテン、ビタミンＥの濃縮された混合物を得る工程、
（ＩＩ）工程（Ｉ）にて得られた混合物から、カロテン濃縮物、ビタミンＥ濃縮物を得る抽出工程と、
からなる方法。」の点で一致し、
以下の点で相違している。
＜相違点１＞
　カロテン、ビタミンＥを含む濃縮混合物を生成する生成工程について、本願発明では、「（Ｉａ）前記天然の油又は脂肪のアルコールを用いたエステル化及びアルコールを用いたエステル交換を行い、形成されたエステルを真空蒸留により分離して、カロテン、ビタミンＥ、スクワレン及び植物ステロールの濃縮された混合物を得る工程」または「（Ｉｂ）前記天然の油又は脂肪を鹸化して、鹸化された物質を引き続いて除去して、カロテン、ビタミンＥ、スクワレン及び植物ステロールの濃縮された混合物を生成する工程」のいずれかを含むものであるのに対し、刊行物１記載の発明では、これらの方法を用いているかどうか不明である点。
　
＜相違点２＞
　カロテン、ビタミンＥの濃縮された混合物から、カロテン濃縮物、ビタミンＥ濃縮物を得る抽出工程について、本願発明では、「超臨界流体を用いて２８℃乃至１２０℃の温度で、かつ６ＭＰａ（６０バール）乃至６０ＭＰａ（６００バール）の圧力にて超臨界流体抽出を行」うのものであって、２段階の抽出工程を有しているのに対し、刊行物１記載の発明では、超臨界流体により抽出を行うものであるかどうか明らかでない点。
　
　上記相違点について検討する。
＜相違点１について＞
　上記記載事項（イ）によれば、刊行物１には、油のアルコールを用いたエステル化を行い、形成されたエステルを分離して、カロテノイド、トコトリエノールの濃縮された混合物を得ることについての記載はあるが、形成されたエステルに対して、カロテノイド、トコトリエノールの濃縮された混合物をどのように分離・回収するかについて具体な方法については不明である。
　また、上記記載事項（ク）によれば、刊行物２には、ビタミンＥ濃縮物の分離・回収方法として、減圧蒸留、分子蒸留（真空蒸留）、超臨界抽出、クロマトグラフ、けん化によるものが有効なものとして記載されている。一般に、濃縮物の抽出法として、これらのものは従来周知であり、これらのもののいずれを採用するかは、抽出対象物の特性等に鑑み、適宜選択されるものであって、抽出法自体に格別の顕著性があるというものではない。
　してみると、刊行物１記載の発明において、エステルに対するカロテノイド、トコトリエノールの濃縮混合物の分離・回収手段として「真空蒸留」を、または油に対するカロテノイド、トコトリエノールの濃縮混合物の分離・回収手段として「けん化によるけん化物質の除去」を採用することは、従来周知の技術的手段に基づいて必要に応じて適宜なし得るものであり、格別の困難性があるものではない。
　
＜相違点２について＞
　超臨界流体を用いて成分を抽出することは当該技術分野において従来周知の技術手段である（刊行物２〜４には、超臨界流体によりビタミンＥ濃縮物等を抽出するものが記載されている。刊行物５には、超臨界流体によりカロテン濃縮物を抽出するものが記載されている。）。
　また、超臨界流体の操作条件については、刊行物２に記載されたもの（上記記載事項（カ））では、３０〜１００℃、５０〜６００ｋｇ／ｃｍ２（４．９〜５８．８ＭＰａ）、刊行物３に記載されたもの（上記記載事項（ス））では、４０℃、１００〜２６０ｋｇ／ｃｍ２（９．８〜２５．５ＭＰａ）、刊行物４に記載されたもの（上記記載事項（チ））では、３１０〜３３３Ｋ（３７〜６０℃）、１０〜２０ＭＰａ、刊行物５に記載されたもの（上記記載事項（ト））では、２９〜７０℃、７〜４０ＭＰａであり、これらは本願発明１のものと重複していることから、本願発明１の超臨界流体の操作条件に格別の顕著性はないものといえる。
　さらに、刊行物４には、超臨界流体を用いて多段抽出による精製を行うものが記載されている（上記記載事項（チ）参照）。抽出工程を繰り返し多段に行えばより濃縮された濃縮物が得られるのは自明であり、抽出工程を多段とすることに格別の顕著性はない。
　してみると、刊行物１記載の発明において、カロテン、ビタミンＥの濃縮された混合物から、カロテン濃縮物、ビタミンＥ濃縮物を回収し、生成するにあたり、超臨界流体を用いて２段階で抽出することは、必要に応じて適宜なし得るものにすぎず、格別の顕著性があるものではない。
　
　そして、本願発明の効果も、当業者であれば、刊行物１記載の発明及び刊行物２〜５に記載されたもの並びに周知の技術から予測し得る範囲のものであって、格別顕著とはいえない。
　したがって、本願発明は、刊行物１記載の発明及び刊行物２〜５に記載されたもの並びに周知の技術に基づいて、当業者が容易に発明をすることができたものということができる。
　
【５】まとめ
　以上、本願発明は、刊行物１記載の発明及び刊行物２〜５に記載されたもの並びに周知の技術に基づいて、当業者が容易に発明をすることができたものであって、特許法第２９条第２項の規定により特許を受けることができないものであるから、本願の他の請求項に係る発明を検討するまでもなく、本願は拒絶をすべきものである。
　よって、結論のとおり審決する。